(57)【特許請求の範囲】
【請求項１】
畝（Ｒ）に突入することにより植付穴（Ｈ）を形成しかつ開くことにより内部に保持した苗（Ｎ）を前記植付穴（Ｈ）に放出する開閉自在な一対のカップ構成体（３１Ｆ，３１Ｒ）を有する植付カップ（３０）を備え、該一対のカップ構成体（３１Ｆ，３１Ｒ）は、前後に開閉自在に配設されており、各カップ構成体（３１Ｆ，３１Ｒ）の外面に、前記畝（Ｒ）を被覆するマルチフィルム（Ｆ）に切目を入れる第１のカッター（５５Ｆ，５５Ｒ）をそれぞれ設け、各第１のカッター（５５Ｆ，５５Ｒ）は、その刃先を前後外方に向けた状態で前記カップ構成体（３１Ｆ，３１Ｒ）の開閉方向と直交する方向にずれて配設され、
前側のカップ構成体（３１Ｆ）に設けられた第１のカッター（５５Ｆ）は、当該カップ構成体（３１Ｆ）の前側面から下側に廻り込んで後方に突出する突出部分（５７Ｆ）を備え、
後側のカップ構成体（３１Ｒ）に設けられた第１のカッター（５５Ｒ）は、当該カップ構成体（３１Ｒ）の後側面から下側に廻り込んで前方に突出する突出部分（５７Ｒ）を備えており、
前側のカップ構成体（３１Ｆ）の第１のカッター（５５Ｆ）の突出部分（５７Ｆ）は、両カップ構成体（３１Ｆ，３１Ｒ）を閉じた状態で後側のカップ構成体（３１Ｒ）の下側に廻り込んで該後側のカップ構成体（３１Ｒ）の第１のカッター（５５Ｒ）の突出部分（５７Ｒ）基端部よりも後方にて当該第１のカッター（５５Ｒ）と重合し、
後側のカップ構成体（３１Ｒ）の第１のカッター（５５Ｒ）の突出部分（５７Ｒ）は、両カップ構成体（３１Ｆ，３１Ｒ）を閉じた状態で前側のカップ構成体（３１Ｆ）の下側に廻り込んで該前側のカップ構成体（３１Ｆ）の第１のカッター（５５Ｆ）の突出部分（５７Ｆ）基端部よりも前方にて当該第１のカッター（５５Ｆ）と重合していることを特徴とする移植機の植付装置。
【請求項２】
一方又は双方のカップ構成体（３１Ｆ，３１Ｒ）の左右側部に、刃先を左右方向に向けた第２のカッター（５６Ｆ，５６Ｒ）が設けられ、該第２のカッター（５６Ｆ，５６Ｒ）の刃部は、正面視で略円弧状に形成されていることを特徴とする請求項１に記載の移植機の植付装置。
【請求項３】
前記植付カップ（３０）は、苗（Ｎ）全体を収容可能な植付穴（Ｈ）を形成するものとして構成され、植付カップ（３０）の下端部は、畝（Ｒ）に形成する植付穴（Ｈ）の底部を略平坦に形成すべく正面視で水平状に形成されていることを特徴とする請求項１又は請求項２に記載の移植機の植付装置。
【発明の詳細な説明】
【０００１】
【発明の属する技術分野】
本発明は、マルチフィルムで被覆した畝に対して苗を植え付ける移植機の植付装置に関するものである。
【０００２】
【従来の技術】
マルチフィルムによって被覆された畝に対して苗を植え付ける移植機では、当該マルチフィルムに対して苗植付用の孔を形成する穿孔手段が装備される。
かかる穿孔手段としては、▲１▼ガスバーナや電熱線等によって構成された発熱体をフィルムに接触して溶かすもの（例えば、特開平６−４６６８１号公報参照）や、▲２▼苗を植え付ける植付カップの外面にカッターを設け、植付カップを畝に突き刺す動作でカッターによりフィルムに切目を入れるもの（例えば、特開平１０−１７８８３０号公報参照）等が従来より公知である。
【０００３】
【発明が解決しようとする課題】
移植機によって機械移植される作物は多種多様であるが、キャベツや玉ねぎ等の野菜のように苗の床土部分のみを畝中に埋め、葉の部分を畝上に露出するように植え付けるのが一般的である。しかし、中にはタバコ等のように、葉を霜害等から保護するために苗全体を畝中に収めて植え付ける作物もある。
そして、このような作物に用いる移植機では、苗全体が収まるような大きな植付穴を形成する大型の植付カップが用いられるものとなっていた。
【０００４】
一方、畝に大きな植付穴を形成したとしても、マルチフィルムに形成された孔が小さければ、苗の茎葉が伸びたときにフィルムの孔から抜け出し難くなり、成長を阻害する原因となる。よって、このマルチフィルムの孔も可及的に大きく形成しなければならない。
かかる点に鑑みた場合、従来の穿孔手段のうち上記▲１▼のものは、発熱体自体を大きくしなければならず、加熱のためのエネルギーが大となり、コストも高くなるため好ましくない。
【０００５】
この点、従来技術▲２▼の穿孔手段では、植付カップ自体及びこれに備えたカッターによってマルチフィルムに穿孔するため、従来技術▲１▼の穿孔手段に比べて低コストで大きな孔を形成でき、この種の作物には最適であると言える。
ここで従来技術▲２▼の植付カップは、下方先細り状とされた前後一対のカップ構成体（くちばし）を前後に開くようになっており、カッターは、刃先を前後方向に向けた状態で各カップ構成体の前面又は後面に下端から上部側に亘って設けられている。また、各カッターの下端部は、カップ構成体を閉じた状態で相互に突き合わされた状態となっている。
【０００６】
そして、苗を植え付けるときには、まずカッターをマルチフィルムに突き刺して切れ目を入れ、さらに植付カップの下降に伴って切れ目を大きくするとともに、カップ構成体を開くことで孔を拡げるものとなっていた。
しかしながら、植付カップは閉じた状態であっても一対のカップ構成体の間に僅かに隙間が生じることがあり、この際、各カッターの下端部相互間にも前後方向の隙間が生じてしまう。
そして、この状態でカッターをマルチフィルムに突き刺すと、図１１に示すように、マルチフィルムＦに切り残しＥが生じることがあった。
【０００７】
このような切り残しＥは畝の植付穴Ｈを部分的に塞ぐ原因となり、苗の成長の妨げる恐れがあるため、現状では苗移植後に手作業で一つずつ切り離す作業を行っていた。そしてこの作業は作業者に多大な負担を強いるものであった。
本発明は、かかる実情に鑑み、植付カップに設けたカッターによって切り残しを生じることなく確実にマルチフィルムに植付用の孔を形成することができる移植機の植付装置を提供することを目的とする。
【０００８】
【課題を解決するための手段】
本発明は、上記目的を達成するために以下の技術的手段を講じている。
すなわち、本発明にかかる移植機の植付装置は、畝Ｒに突入することにより植付穴Ｈを形成しかつ開くことにより内部に保持した苗Ｎを前記植付穴Ｈに放出する開閉自在な一対のカップ構成体３１Ｆ，３１Ｒを有する植付カップ３０を備え、各カップ構成体３１Ｆ，３１Ｒの外面に、前記畝Ｒを被覆するマルチフィルムＦに切目を入れる第１のカッター５５Ｆ，５５Ｒをそれぞれ設け、各第１のカッター５５Ｆ，５５Ｒが、閉鎖状態の植付カップ３０の下側で互いに重合していることを特徴とするものである。
【０００９】
これによれば、一対のカップ構成体３１Ｆ，３１Ｒの間に僅かに隙間が生じていたとしても、その隙間が各第１のカッター５５Ｆ，５５Ｒの重なり代の範囲内であれば、該第１のカッター５５Ｆ，５５Ｒの間に隙間は形成されず、よって、マルチフィルムＦに切り残しを生じることはほとんどなく、確実に植付用の孔を形成することができるようになる。
前記植付カップ３０が、一対のカップ構成体３１Ｆ，３１Ｒを前後に配設して前後開閉自在に構成されている場合、各第１のカッター５５Ｆ，５５Ｒは、刃先を前後方向に向けた状態で前側カップ構成体３１Ｆの前面と後側カップ構成体３１Ｒの後面とにそれぞれ設けられたものとし、その下端部が相互に対向する方向に突出して左右方向に重合され、かつその突出部分５７Ｆ、５７Ｒに下向きの刃を形成されたものとするのが好ましい。
【００１０】
また、一方又は双方のカップ構成体３１Ｆ，３１Ｒの左右側部には、刃先を左右外方に向けた第２のカッター５６Ｆ，５６Ｒを設けるのが好ましい。
植付カップ３０は、苗Ｎの全体を収容可能な植付穴Ｈを形成するものとして構成するのが好ましく、これによってタバコ等の移植機に最適なものとなる。
【００１１】
【発明の実施の形態】
以下、本発明の実施の形態を図面を参照して説明する。
図６に示すように、本発明の実施形態にかかる移植機１は、例えばタバコのように苗Ｎ全体を畝Ｒ中に収めるようにして植え付ける作物を対象として構成したものとなっており、畝Ｒを跨いで走行する走行機体２と、該走行機体２に搭載された苗供給装置３及び苗植付装置４とを有して主構成されている。
前記走行機体２の車体２Ａには、エンジン、ミッションケース５等が設けられ、これらはボンネット６により覆われている。また、車体２Ａの前部には左右一対の前輪７が設けられ、後部には左右一対の後輪（駆動輪）８が設けられている。
【００１２】
尚、本明細書においては、走行機体２の走行方向Ａを前後方向とし、該方向に直交する横方向を左右方向とする。
前記前輪７は上下揺動自在なアーム１０の下端部に取り付けられ、後輪８はミッションケース５に上下揺動自在に設けられた伝動ケース１１の下端部に取り付けられており、後輪８は、エンジンの動力がミッションケース５及び伝動ケース１１を介して伝達されて回転駆動されるようになっている。
アーム１０及び伝動ケース１１は、車体２Ａに設けた昇降シリンダ１３によって上下に揺動され、この上下揺動によって車体の高さを調整可能としてある。また、同じく車体２Ａに設けた水平制御シリンダ１４によって、左右のアーム１０及び左右の伝動ケース１１が相互に逆方向に上下揺動され、これによって車体を水平に保つように構成されている。
【００１３】
なお、車体の高さ調整（昇降シリンダ１３の駆動）は、ミッションケース５に上下揺動自在に設けられかつ畝Ｒ上面を転動する畝高さ検出ローラ（検出部材）１５の検出に基づいて行われる。
ミッションケース５の後部には後方に延伸する主フレーム１７が固定され、この主フレーム１７の後端には操縦ハンドル１８が設けられている。
また、ミッションケース５の後部であって主フレーム１７の下側には、後方へ延伸する植付フレーム１９が、前記主フレーム１７に対して固定状として設けられている。
【００１４】
主フレーム１７には苗供給装置３が設けられており、該苗供給装置３は、多数の苗（土付苗）Ｎを縦横に収容した苗トレイを縦横に間欠送りする苗載せ台２１と、この苗載せ台２１上の苗トレイから一つずつポット苗を取り出して植付装置４に移送する苗分送装置２２とを有する。
植付フレーム１９には植付装置４が設けられており、該植付装置４は、図４に示すように、下部側が前後に開閉自在とされた植付体２５と、植付体２５を上下動させる昇降機構２６と、植付体２５の下部側を開閉させる開閉機構２７とを有する。
【００１５】
植付体２５は、上部の支持筒２９と、下部の植付カップ３０とを有しており、該植付カップ３０は、前後一対のカップ構成体３１Ｆ，３１Ｒを開閉自在に備えてなり、閉じた状態（図４及び図１（ａ）参照）で上方に開口した下方先細り状の略円錐状を呈し、内部に苗Ｎを収容、保持可能とされている。そして、開いたとき（図１（ｂ）参照）に内部に保持した苗Ｎを落下、放出可能とされている。
支持筒２９の側面には逆Ｖ字状に形成された取付体３３が設けられ、該取付体３３の前後端部には、支軸３４を有する枢支部３５が形成されている。各枢支部３５には揺動アーム３６Ｆ、３６Ｒがそれぞれ枢支されており、前側の枢支部３５に枢支された揺動アーム３６Ｆには後側のカップ構成体３１Ｒがボルト等の締結具３７を介して取り付けられ、後側の枢支部３５に枢支された揺動アーム３６Ｒには前側のカップ構成体３１Ｆが締結具３７を介して取り付けられている。
【００１６】
また、揺動アーム３６Ｆ、３６Ｒはその前後中央部の交差部分においてピン３８等を介して係合し、一方を枢支部３５回りに揺動したときに他方が逆方向に揺動するように構成されており、これによって、植付カップ３０は、揺動アーム３６Ｆ、３６Ｒの揺動を介して前後に開閉するようになっている。また、一対の揺動アーム３６Ｆ、３６Ｒ間には、引張りコイルバネ３９が架設されており、該バネ３９によって植付カップ３０が閉じる方向に付勢されている。
また、植付カップ３０の下端部は、図２に示すように正面視（又は背面視）で水平状に形成されており、畝Ｒに形成する植付穴Ｈの底部を略平坦に形成するようになっている。
【００１７】
各カップ構成体３１の上部には、揺動アーム３６に対して取り付けられるフランジ部３１Ａを備えている。
昇降機構２６は、前記支持筒２９に後端部が左右軸心回りに回動自在に枢支された上下一対の第１平行リンク４１と、下端側が該第１平行リンク４１の前端部に中継部材４２を介して連結され、上端側が主フレーム１７及び植付フレーム１９側に枢支された第２平行リンク４３とを有する。
植付フレーム１９には駆動軸４４が回転自在に支持され、該駆動軸４４にはクランクアーム４５の基端部が取り付けられている。また、駆動軸４４にはエンジンからの動力がミッションケース５、チェーン伝動機構等を介して伝達され、クランクアーム４５を矢印Ｂ方向に回転するようになっている。
【００１８】
クランクアーム４５の先端部はクランクピン４６を介して第１平行リンク４１に枢結されており、これにより駆動軸４４及びクランクアーム４５の回転で第１，第２平行リンク４１、４３が前後、上下に揺動し、植付カップ３０は、上下に長い略楕円状の軌跡で昇降運動するようになっている。
開閉機構２７は、前記中継ブラケット４２に基端部が枢結された第１リンク４８と、この第１リンク４８の先端部に一端が枢結されかつ他端が一方の揺動アーム３６Ｒに枢結された第２リンク４９とを有する。また、第１リンク４８の長手方向中途部にはカムフォロア５０が設けられ、クランクアーム４５先端のクランクピン４６には、同軸心状にカム５１が設けられ、該カム５１にカムフォロア５０が上側から当接している。
【００１９】
そして、植付カップ３０が最下端位置で第１，第２リンク４８，４９を介して開き、かつ最上端位置で閉じるように、カム５１の形状が選定されている。
而して、上記植付装置４では、植付カップ３０の下部を閉じた状態で上昇位置にて苗分送装置２２から苗Ｎを受け取り、その後植付カップ３０を下降させて畝Ｒに突入しかつ開くことで、畝Ｒに植付穴Ｈ（図５参照）を形成するとともに該穴Ｈに苗Ｎを放出して植え付けるようにしている。
図１〜図４に示すように、前記植付カップ３０には、畝Ｒに対してマルチフィルムＦが被覆されている場合に、当該マルチフィルムＦに対して切目を入れて植付用の孔を形成する穿孔手段が設けられている。
【００２０】
この穿孔手段は、植付カップ３０の前後側面に設けられた第１のカッター５５と、左右側面に設けられた第２のカッター５６とを有する。
第１のカッター５５は、その刃先を前後外方に向けた状態で前側のカップ構成体３１Ｆの前面左右中央部と後側のカップ構成体３１Ｒの後面左右中央部とにそれぞれ前後突出状に設けられている。
より詳細には、図１〜図３に示すように、前側のカップ構成体３１Ｆに設けられた第１のカッター５５Ｆは、当該カップ構成片３１Ｆの前側面から下側に廻り込んで後方に突出しており、後側のカップ構成体３１Ｒに設けられた後第１カッター５５Ｒは、当該カップ構成体３１Ｒの後側面から下側に廻り込んで前方に突出している。
【００２１】
そして、前後の第１カッター５５Ｆ、５５Ｒの突出部分５７Ｆ、５７Ｒは、植付カップ３０が閉じた状態で、各カップ構成体３１Ｆ、３１Ｒの突き合わせ部分の下側において相互に左右方向に重合（オーバーラップ）するようになっている。また、突出部分５７Ｆ、５７Ｒには、下向きの刃が形成されるようになっている。
第２のカッター５６は、その刃先を左右外方に向けた状態で、後側のカップ構成体３１Ｒにおける左右両側部に設けられている。また、この第２カッター５６の刃部は正面視で略円弧状に形成されている。
【００２２】
そして、この第２のカッター５６は、カップ構成体３１Ｒの下端よりも上位（上下中途部）から略上端部に亘る範囲で設けられている。
上記構成の穿孔手段では、苗Ｎを植え付けるにあたって植付カップ３０を畝Ｒに突入するとき、第１のカッター５５がマルチフィルムＦに突き刺さって前後方向の切目を入れ、第２のカッター５６が左右方向の切目を入れ、更に、植付カップ３０を前後に開くことで、前記切目から孔を拡げるようになっている。
そして、マルチフィルムＦの切目が入れられた部分Ｆ１は、図５に示す如く、畝Ｒの植付穴Ｈの側面部分に垂れ下がり、当該植付穴Ｈに放出された苗Ｎの成長を阻害することがないようにしている。
【００２３】
ここで、前後の第１のカッター５５Ｆ，５５Ｒはその下端部において相互に重合しているため、植付カップ３０を畝Ｒに突入するときに、前後のカップ構成体３１Ｆ、３１Ｒの間に僅かに隙間があったとしても、突出部分５７Ｆ、５７Ｒの重なり代ｔの範囲内であれば、前後の第１カッター５５Ｆ，５５Ｒ間には前後方向の隙間が生じることはなく、これによってマルチフィルムＦに切り残しを生じるようなことはほとんどない。
そのため、苗植付後に切り残しを手作業により切断する必要もなく、作業者負担を軽減できるものとなる。
【００２４】
なお、第１のカッター５５Ｆ、５５Ｒの各突出部分５７Ｆ、５７Ｒは、必ずしも相互に左右方向に接している必要はなく、若干の隙間があいていてもよい。この場合、各第１のカッター５５Ｆ、５５Ｒの左右間には僅かな切り残しは生じるものの、この切り残しは植付カップ３０の突入と開放によって切断される。
また、前後の第１のカッター５５Ｆ、５５Ｒの一方のみに突出部分５７Ｌ、５７Ｒを形成することによって、両カッター５５Ｆ、５５Ｒを重合させるようにしてもよい。
【００２５】
第２のカッター５６は、植付カップ３０を開くことによって植付穴Ｈの左右側壁を若干削り、植え付けた苗Ｎの床土周りに土を被せる機能をも有している。
この第２のカッター５６は、前側のカップ構成体３１Ｆの左右両側部に設けても良く、左右一方を前側のカップ構成体３１Ｆに、他方を後側のカップ構成体３１Ｒに形成してもよい。
上記に説明した移植機１は、畝中に苗Ｎ全体を収めるようにして植え付けるタバコ用等の移植機であるが、農家によっては季節等に応じてタバコだけでなく他の作物を植え付けることがあり、従来、これには他の専用の移植機を用いるようになっていた。
【００２６】
これは、例えばキャベツや玉ねぎ等の野菜の場合、苗Ｎの床土部分のみを畝Ｒに埋めるために上記実施形態の大型の植付カップ３０では不適であり、また、苗Ｎを植え付けたのちに苗の周囲を鎮圧又は覆土する必要があるが、上記実施形態では、苗Ｎ全体を畝中に収めることから鎮圧等する手段は備えていないからである。
そこで、上記実施形態において説明した移植機１では、図７に示すように、キャベツ等の野菜用の植付カップ３０’と鎮圧（覆土）装置７０とを着脱自在に装着することによって、異なる種類の移植が行えるようにし、汎用性を高めたものとなっている。
【００２７】
具体的に説明すると、前述したタバコ用等の植付カップ３０は、図４に示したように、揺動アーム３６に対してボルト等の締結具３７を介して取り付けられているため、この締結具３７を取り外して野菜用等の植付カップ３０’に付け替える。この植付カップ３０’は、タバコ用に比べて細身な略三角錐形状に形成される。また、この植付カップ３０’に対してもマルチフィルム切断用の穿孔手段（第１、第２カッター５５，５６）を設けても良い。
鎮圧装置７０は、図８にも示すように、フレーム体７１と、このフレーム体７１に回転自在に取り付けられた左右一対の鎮圧輪（覆土輪）７２と、フレーム体７１の後端に左右軸心回りに揺動自在に取り付けられた支持杆７３と、該支持杆７３に装着されたウエイト７４とを有し、これらを一体化して構成されている。
【００２８】
前記フレーム体７１は、パイプ材等を平面視で前側が開放したコの字状に屈曲して構成されており、その前端部が植付フレーム１９に対して着脱自在にかつ上下揺動自在に枢結されるようになっている。
また、一対の鎮圧輪７２は、それぞれフレーム体７１の左右側部にブラケットを介して回転自在に支持されており、一対が互いに逆ハの字状を形成するように配設されている。
前記支持杆７３は、その下端部がフレーム体７１の後端左右中央に上下揺動自在に設けられており、その上部側は、主フレーム１７又は植付フレーム１９から突出した支持部材７６に長手方向移動自在に支持されるようになっている。
【００２９】
また、支持杆７３の上部側には長手方向に複数の孔７３ａが形成され、この孔７３ａに対して規制ピン等を取り付けることによって、支持部材７６に対する上方移動を許容しつつ下方移動を所定に規制することができる。また、支持杆７３の長手方向の移動を完全に規制するようにしてもよい。
前記ウエイト７４は、鎮圧輪７２に対して鎮圧力を付与するものであり、略円柱状に形成されるとともに中央部に挿通孔を有しており、この挿通孔に支持杆７３を挿入することによって装着されるようになっている。
【００３０】
また、支持杆７３には、複数のウエイト７４を取付可能であり、ウエイト７４の数量を変えることによって鎮圧力を調整可能である。
図９及び図１０には、他の形態にかかる畝高さ検出用の検出部材を示している。
上記実施形態における移植機１では、植付カップ３０のみによって植付穴Ｈを形成し、該植付穴Ｈに対して苗Ｎを植え付けるものとしているが、図９に示す如く、畝Ｒに対してＶ字状の植付溝Ｍを作溝器等により長手方向に連続して形成し、該植付溝Ｍに対して苗Ｎを植え付ける場合がある。
【００３１】
そして、この場合に上記実施形態の如く畝高さ検出ローラ１５を用いると、畝Ｒ上面を転動することによって畝Ｒを崩し、植付溝Ｍを埋めてしまう恐れが生じる。
そこで、かかる場合の苗植付に対しては、検出ローラ１５に代えて図例のような検出部材６０が用いるのが好ましいものとなる。
この検出部材６０は、ミッションケース５に対して上下揺動自在に備えられた取付フレーム１６に対して装着される上部枠６２と、この上部枠６２の下側に設けられた本体部６３を有し、この本体部６３は、正面視でＶ字状、側面視で下方広がりの略扇形、平面視で略菱形状に形成されている。そして、本体部６３の前面部には、略三角錐形状に形成されていて、その前端の一辺が後下がり傾斜状に配設された土寄せ部６４が設けられており、該土寄せ部６４によって移植機の進行に伴い土を左右に寄せるようにしたものとなっている。
【００３２】
かかる検出部材６０を用いることによって、植付溝Ｍを崩すことはほとんどなく好適に苗の植え付けが行えるようになる。
また、本体部６３の下端は、地面に対する接触抵抗を低減するために側面視円弧状に形成されており、また本体部６３下端部の正面角度は、植付溝Ｍの底部角度よりも小さく設定されており、これによって植付溝Ｍの側壁を崩すことがないようにしている。
本発明は、上記実施形態に限ることなく適宜設計変更可能である。
【００３３】
例えば、穿孔手段としての第１，第２カッター５５，５６は、図例では片刃のものとしているが、両刃のものとすることができ、また、第２カッター５６を省略して第１カッター５５のみの構成とすることも可能である。
植付体２５や昇降機構２６、開閉機構２７の詳細な構造についても適宜設計変更可能である。
【００３４】
【発明の効果】
以上詳述したように、本発明によれば、マルチフィルムに対して切り残しを生じることなく確実に苗植付用の孔を形成することができる。
【図面の簡単な説明】
【図１】本発明の実施形態にかかる植付カップを示し、（ａ）は閉じた状態の側面図、（ｂ）は開いた状態の側面図である。
【図２】植付カップの背面図である。
【図３】植付カップの拡大底面図である。
【図４】植付装置の側面図である。
【図５】畝に形成した植付穴に苗を植え付けた状態を示す正面図である。
【図６】移植機の全体側面図である。
【図７】主フレーム及び植付フレームに、野菜用の植付カップ、鎮圧装置を装着した状態を示す側面図である。
【図８】（ａ）は鎮圧装置の側面図、（ｂ）は同背面図である。
【図９】検出部材の他の形態を示す正面図である。
【図１０】（ａ）は検出部材の平面図、（ｂ）は検出部材の側面図である。
【図１１】従来の穿孔装置によりマルチフィルムに形成した苗植付用の孔の平面図である。
【符号の説明】
１    移植機
４    植付装置
３０    植付カップ
５５    第１のカッター
５６    第２のカッター
５７    突出部
【図１】
0003634771.tif 000002
【図２】
0003634771.tif 000003
【図３】
0003634771.tif 000004
【図４】
0003634771.tif 000005
【図５】
0003634771.tif 000006
【図６】
0003634771.tif 000007
【図７】
0003634771.tif 000008
【図８】
0003634771.tif 000009
【図９】
0003634771.tif 000010
【図１０】
0003634771.tif 000011
【図１１】
0003634771.tif 000012